(57)【要約】【課題】利用者にとってより多くの有益な情報が得られ、販売者にとって十分な集客力が得られる情報表示装置、情報表示方法及び情報表示システムを提供する。【解決手段】  サーバは、インターネットを介して利用者端末から検索販売元情報２０２Ｂ及び検索商品名情報２０２Ｃを取得する特定情報取得手段と、推薦販売元情報、推薦商品名情報及び推薦商店ページ情報を関連づけて記憶する記憶手段と、記憶された推薦販売元情報及び推薦商品名情報と特定情報取得手段により取得された検索販売元情報２０２Ｂ、検索商品名情報２０２Ｃを比較し、検索販売元情報２０２Ｂ、検索商品名情報２０２Ｃに一致する推薦販売元情報及び推薦商品名情報を抽出する比較抽出手段と、抽出された推薦販売元情報、推薦商品名情報及び推薦商店ページ情報に基づいて作成された推薦ページ情報２０３をツールバー表示部２０１に表示させる表示制御手段１３５とを備えた。【選択図】図２
2010146396.tif 000002
【特許請求の範囲】
【請求項１】
利用者の検索要求に応じて検索対象物に関する検索対象物情報が掲載されたウェブページを表示する端末にネットワークを介して接続され、前記端末に、前記検索対象物に関連した推薦対象物に関する推薦対象物情報を有する推薦ページ情報を表示させる情報表示装置であって、
前記ネットワークを介して前記端末から前記利用者が検索要求する前記検索対象物を特定する前記検索対象物情報を取得する特定情報取得手段と、
前記推薦対象物情報及び前記推薦ページ情報を関連づけて記憶する記憶手段と、
この記憶手段に記憶された前記推薦対象物情報と前記特定情報取得手段により取得された検索対象物情報とを比較し、この検索対象物情報に一致する前記推薦対象物情報を抽出する比較抽出手段と、
この比較抽出手段により抽出された前記推薦対象物情報に関連付けられた前記記憶手段に記憶された推薦ページ情報を前記端末に送信して、前記端末に前記推薦ページ情報を表示させる表示制御手段と、
を備えたことを特徴とした情報表示装置。
【請求項２】
請求項１に記載の情報表示装置であって、
前記特定情報取得手段は、前記端末に予め組み込まれたツールバーから前記検索対象物情報を取得する
ことを特徴とした情報表示装置。
【請求項３】
請求項１または請求項２に記載の情報表示装置であって、
前記検索対象物情報及び前記推薦対象物情報は、それぞれ検索価格情報及び推薦価格情報を含んで構成され、
前記検索価格情報と前記推薦価格情報とを比較する価格情報比較手段を備え、
前記表示制御手段は、前記価格情報比較手段が前記検索価格情報と前記推薦価格情報とを比較して前記推薦対象物が前記検索対象物よりも安いときに前記推薦ページ情報を表示させる
ことを特徴とした情報表示装置。
【請求項４】
利用者の検索要求に応じて検索対象物に関する検索対象物情報が掲載されたウェブページを表示する端末にネットワークを介して接続され、前記端末に、前記検索対象物に関連した推薦対象物に関する推薦対象物情報を有する推薦ページ情報を表示させる情報表示方法であって、
前記ネットワークを介して前記端末から前記利用者が検索要求する前記検索対象物を特定する前記検索対象物情報を取得する特定情報取得ステップと、
前記推薦対象物情報及び前記推薦ページ情報を関連づけて記憶する記憶ステップと、
この記憶ステップにより記憶された前記推薦対象物情報と前記特定情報取得ステップにより取得された検索対象物情報とを比較し、この検索対象物情報に一致する前記推薦対象物情報を抽出する比較抽出ステップと、
この比較抽出ステップにより抽出された前記推薦対象物情報に関連付けられた前記記憶手段に記憶された推薦ページ情報を前記端末に送信して、前記端末に前記推薦ページ情報を表示させる表示制御ステップと、
を備えたことを特徴とする情報表示方法。
【請求項５】
利用者の検索要求に応じて検索対象物に関する検索対象物情報が掲載されたウェブページを表示する端末と、この端末にネットワークを介して接続され前記検索対象物に関連した推薦対象物に関する推薦対象物情報を有する推薦ページ情報を前記端末に表示させる情報表示装置とを備えた情報表示システムであって、
前記情報表示装置は、
前記ネットワークを介して前記端末から前記利用者が検索要求する前記検索対象物を特定する前記検索対象物情報を取得する特定情報取得手段と、
前記推薦対象物情報及び前記推薦ページ情報を関連づけて記憶する記憶手段と、
この記憶手段に記憶された前記推薦対象物情報と前記特定情報取得手段により取得された検索対象物情報とを比較し、この検索対象物情報に一致する前記推薦対象物情報を抽出する比較抽出手段と、
この比較抽出手段により抽出された前記推薦対象物情報に関連付けられた前記記憶手段に記憶された推薦ページ情報を前記端末に送信して、前記端末に前記推薦ページ情報を表示させる表示制御手段と、
を備えたことを特徴とした情報表示システム。
【発明の詳細な説明】
【技術分野】
【０００１】
本発明は、インターネット等を利用してウェブページに、例えば、所定の商品が販売されているページ情報を表示する情報表示装置、情報表示方法及び情報表示システムに関する。
【背景技術】
【０００２】
従来、インターネット等を利用したウェブページにおいて、例えば、広告として商品の情報を表示させる構成が知られている（例えば、特許文献１参照）。
【０００３】
特許文献１には、マスターサーバシステムはアフィリエイトサイトのＷＷＷページに掲載するバナー広告の内容更新など広告の配信と管理を行っており、アフィリエイトサイトにアクセスしてきた顧客に対してその顧客個別のバナー広告を掲示するようバナー広告の配信をする構成が採られている。
【０００４】
【特許文献１】特開２００１−２８３０８３号公報
【発明の開示】
【発明が解決しようとする課題】
【０００５】
しかしながら、特許文献１に記載のものでは、バナー広告に掲載された内容が顧客の興味の対象ではない場合があり、そのようなバナー広告は顧客にとって有益な情報にならない場合がある。また、バナー広告を提供する情報提供者にとっては、このようなバナー広告では十分な集客力が得られない場合がある。
本発明の目的は、このような点に鑑みて、顧客にとってより多くの有益な情報が得られ、情報提供者にとって十分な集客力が得られる情報表示装置、情報表示方法及び情報表示システムを提供することである。
【課題を解決するための手段】
【０００６】
（１）本発明の情報表示装置は、利用者の検索要求に応じて検索対象物に関する検索対象物情報が掲載されたウェブページを表示する端末にネットワークを介して接続され、前記端末に、前記検索対象物に関連した推薦対象物に関する推薦対象物情報を有する推薦ページ情報を表示させる情報表示装置であって、前記ネットワークを介して前記端末から前記利用者が検索要求する前記検索対象物を特定する前記検索対象物情報を取得する特定情報取得手段と、前記推薦対象物情報及び前記推薦ページ情報を関連づけて記憶する記憶手段と、この記憶手段に記憶された前記推薦対象物情報と前記特定情報取得手段により取得された検索対象物情報とを比較し、この検索対象物情報に一致する前記推薦対象物情報を抽出する比較抽出手段と、この比較抽出手段により抽出された前記推薦対象物情報に関連付けられた前記記憶手段に記憶された推薦ページ情報を前記端末に送信して、前記端末に前記推薦ページ情報を表示させる表示制御手段と、を備えたことを特徴とする。
この発明では、検索対象物が端末のウェブページに表示されたとき、この検索対象物と同じもの、すなわち、推薦対象物に関する推薦ページ情報もウェブページに表示されるので、顧客は、端末からより多くの有益な情報を得ることができる。そして、顧客はより多くの有益な情報に基づいて推薦ページ情報により、推薦対象物情報が掲載された推薦ページを表示させることができるため、推薦対象物情報を提供した情報提供者は集客力を増加させることができる。
なお、検索対象物情報及び推薦対象物情報としては、例えば、語句情報などが挙げられる。
【０００７】
（２）また、本発明において、前記特定情報取得手段は、前記端末に予め組み込まれたツールバーから前記検索対象物情報を取得することが好ましい。
この発明によれば、ツールバーから、いずれのページにおいても検索対象物情報を取得することができる。
【０００８】
（３）さらに、本発明において、前記検索対象物情報及び前記推薦対象物情報は、それぞれ検索価格情報及び推薦価格情報を含んで構成され、前記検索価格情報と前記推薦価格情報とを比較する価格情報比較手段を備え、前記表示制御手段は、前記価格情報比較手段が前記検索価格情報と前記推薦価格情報とを比較して前記推薦対象物が前記検索対象物よりも安いときに前記推薦ページ情報を表示させることが好ましい。
この発明によれば、推薦対象物がより安い場合に推薦ページ情報を表示するため、より安い対象物を求めている顧客に対してより有効である。
【０００９】
（４）本発明の情報表示方法は、利用者の検索要求に応じて検索対象物に関する検索対象物情報が掲載されたウェブページを表示する端末にネットワークを介して接続され、前記端末に、前記検索対象物に関連した推薦対象物に関する推薦対象物情報を有する推薦ページ情報を表示させる情報表示方法であって、前記ネットワークを介して前記端末から前記利用者が検索要求する前記検索対象物を特定する前記検索対象物情報を取得する特定情報取得ステップと、前記推薦対象物情報及び前記推薦ページ情報を関連づけて記憶する記憶ステップと、この記憶ステップにより記憶された前記推薦対象物情報と前記特定情報取得ステップにより取得された検索対象物情報とを比較し、この検索対象物情報に一致する前記推薦対象物情報を抽出する比較抽出ステップと、この比較抽出ステップにより抽出された前記推薦対象物情報に関連付けられた前記記憶手段に記憶された推薦ページ情報を前記端末に送信して、前記端末に前記推薦ページ情報を表示させる表示制御ステップと、を備えたことを特徴とする。
この発明では、請求項１に記載の発明と同様の効果を奏する。
【００１０】
（５）本発明の情報表示システムは、利用者の検索要求に応じて検索対象物に関する検索対象物情報が掲載されたウェブページを表示する端末と、この端末にネットワークを介して接続され前記検索対象物に関連した推薦対象物に関する推薦対象物情報を有する推薦ページ情報を前記端末に表示させる情報表示装置とを備えた情報表示システムであって、前記情報表示装置は、前記ネットワークを介して前記端末から前記利用者が検索要求する前記検索対象物を特定する前記検索対象物情報を取得する特定情報取得手段と、前記推薦対象物情報及び前記推薦ページ情報を関連づけて記憶する記憶手段と、この記憶手段に記憶された前記推薦対象物情報と前記特定情報取得手段により取得された検索対象物情報とを比較し、この検索対象物情報に一致する前記推薦対象物情報を抽出する比較抽出手段と、この比較抽出手段により抽出された前記推薦対象物情報に関連付けられた前記記憶手段に記憶された推薦ページ情報を前記端末に送信して、前記端末に前記推薦ページ情報を表示させる表示制御手段と、を備えたことを特徴とする。
この発明では、請求項１に記載の発明と同様の効果を奏する。
【発明を実施するための最良の形態】
【００１１】
図１は、本発明に係る一実施形態の情報表示システムの構成図を示している。図２は、本実施形態のブラウザ表示画面を示している。図３は、商品情報一覧テーブル記憶領域のデータ構造を示している。
【００１２】
本実施形態の情報表示システム１００は、提供者端末１１０と、利用者端末１２０と、情報表示装置としてのサーバ１３０と、がインターネット１４０を介して相互に通信可能に接続された構成とされている。
インターネット１４０はＴＣＰ／ＩＰなどの汎用のプロトコルに基づくインターネットであるが、これに限られない。例えば、ＬＡＮ（Local Area Network）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成が利用できる。
【００１３】
〔提供者端末〕
提供者端末１１０は、推薦商品情報（推薦対象物情報）をサーバ１３０に提供するものであり、推薦商品情報とは、提供者が利用者に対して販売したい推薦商品に関するものである。
具体的には、提供者端末１１０は、推薦商品に関する推薦商品情報を端末画面に表示させる提供者端末表示手段１１１と、提供者が端末画面に推薦商品情報を入力するための提供者端末入力手段１１２と、提供者端末入力手段１１２により入力された推薦商品情報をサーバ１３０に送信する提供者端末送受信手段１１３と、を備える。
提供者端末表示手段１１１は、例えば、ディスプレイに推薦商品情報を表示させるものである。
提供者端末入力手段１１２は、利用者によるマウスやキーボードなどを用いた入力要求に応じて、提供者端末表示手段１１１の端末画面に推薦商品情報を入力させる。
提供者端末送受信手段１１３は、提供者端末表示手段１１１により端末画面に表示された推薦商品情報をサーバ１３０に送信する。
推薦商品情報は、推薦商品特定情報と、推薦価格情報とにより構成されており、推薦商品特定情報としては、例えば、推薦商品をウェブページ上で販売している販売元の推薦販売元情報、推薦商品名情報、推薦カテゴリ情報、推薦商品を販売している商店ページの推薦商店ページ情報などである。これら推薦販売元情報などは、推薦商品の価格である推薦価格情報と関連付けられている。また、推薦販売元情報、推薦商品名情報、推薦カテゴリ情報、推薦商店ページ情報及び推薦価格情報は、それぞれ語句情報である。
【００１４】
〔利用者端末〕
利用者端末１２０は、図２に示すように、利用者が購入したい商品を販売するショッピングページ２０２を画面２００に表示する。
具体的には、利用者端末１２０は、利用者の検索要求に応じて画面２００に検索商品を表示する利用者端末表示手段１２１と、利用者が検索商品を検索したり購入する際にキーボードなどを用いてキーワードなどを画面に入力するための利用者端末入力手段１２２と、サーバ１３０からツールバーを取り込むツールバー取込手段１２３と、ツールバーによりショッピングページ２０２から検索商品情報を取得してサーバ１３０に送信するツールバー送受信手段１２４と、を備える。
利用者端末表示手段１２１に表示される画面２００は、ツールバー表示部２０１と、検索ページとしてのショッピングページ２０２と、ツールバー表示部２０１に表示された推薦ページ情報２０３とを含んで構成されている。
ツールバー取込手段１２３は、利用者によるツールバーの取込要求に応じて、利用者端末１２０にツールバープログラムを取り込む。そのあと、ツールバープログラムを実行することにより、画面２００にツールバー表示部２０１が表示される。
ショッピングページ２０２には、メガネ、自動車、テレビなどの商品の描画を示す商品描画情報２０２Ａと、それぞれの商品に対応する販売元を示す検索販売元情報２０２Ｂと、商品名を示す検索商品名情報２０２Ｃと、商品価格を示す検索価格情報２０２Ｄとが表示されている。検索販売元情報２０２Ｂ、検索商品名情報２０２Ｃ及び検索価格情報２０２Ｄは、それぞれ語句情報である。
推薦ページ情報２０３は、推薦商店ページに移動するためのリンクが施されているが、推薦商店ページのＵＲＬが表示されていてもよい。
【００１５】
〔サーバ〕
サーバ１３０は、利用者端末１２０が表示したショッピングページ２０２に推薦ページ情報２０３を表示させる。
サーバ１３０は、提供者端末１１０より提供された推薦商品情報及び推薦価格情報を記憶する記憶手段１３１Ａと、演算手段１３１Ｂとを備える。演算手段１３１Ｂは、各種プログラムにより構成されており、ショッピングページ２０２から商品名情報などを取得する特定情報取得手段１３２と、商品名情報を比較する比較抽出手段１３３、価格情報を比較する価格情報比較手段１３４と、推薦商品に関するページ情報を表示させる表示制御手段１３５と、を備える。
【００１６】
記憶手段１３１Ａは、インターネット１４０を介して提供者端末１１０から推薦販売元情報、推薦商品名情報、推薦カテゴリ情報、推薦価格情報及び推薦商店ページ情報を取得して、商品情報一覧テーブル記憶領域に記憶する。
この商品情報一覧テーブル記憶領域は、例えば図３に示すように、推薦販売元情報１３１Ａ１と、推薦商品名情報１３１Ａ２と、推薦カテゴリ情報１３１Ａ３と、推薦価格情報１３１Ａ４と、推薦商店ページ情報１３１Ａ５とを１つのデータ構造に関連付けられた推薦商品情報１３１Ａ１１を複数記憶するテーブル構造に構築されている。推薦販売元情報１３１Ａ１は、例えば「○○メガネ（株）」、「△○自動車（株）」、「○△テレビ（株）」などである。推薦商品名情報１３１Ａ２は、例えば「○○のメガネ」、「△○の自動車」、「○△のテレビ」などである。推薦カテゴリ情報１３１Ａ３は、例えば「アクセサリ」、「自動車」、「電化製品」などである。推薦価格情報１３１Ａ４は、例えば「１００００」、「５０００００」、「３０００００」などである。推薦商店ページ情報１３１Ａ５は、例えば「http://www.hogehogehoge.co.jp/search1」、「http://www.hoge
hogehoge.co.jp/search2」、「http://www.hogehogehoge.co.jp/search3」などである。
【００１７】
そして、推薦販売元情報１３１Ａ１である「○○メガネ（株）」と、推薦商品名情報１３１Ａ２である「○○のメガネ」と、推薦カテゴリ情報１３１Ａ３である「アクセサリ」と、推薦価格情報１３１Ａ４である「１００００」と、推薦商店ページ情報１３１Ａ５である「http://www.hogehogehoge.co.jp/search1」とは関連付けられている。
特定情報取得手段１３２は、利用者端末１２０に予め組み込まれた（インポートされた）ツールバーから、インターネット１４０を介して、ショッピングページ２０２が有する検索販売元情報２０２Ｂ、検索商品名情報２０２Ｃ及び検索価格情報２０２Ｄを取得する。そして、特定情報取得手段１３２は、取得した検索販売元情報２０２Ｂ、検索商品名情報２０２Ｃ及び検索価格情報２０２Ｄを比較抽出手段１３３に出力する。
比較抽出手段１３３は、検索販売元情報２０２Ｂ及び検索商品名情報２０２Ｃと、記憶手段１３１Ａに記憶された推薦販売元情報１３１Ａ１及び推薦商品名情報１３１Ａ２とを比較する。検索販売元情報２０２Ｂ及び検索商品名情報２０２Ｃが推薦販売元情報１３１Ａ１及び推薦商品名情報１３１Ａ２とそれぞれ一致したとき、記憶手段１３１Ａから推薦販売元情報１３１Ａ１及び推薦商品名情報１３１Ａ２を抽出する。そして、価格情報比較手段１３４は、推薦販売元情報１３１Ａ１及び推薦商品名情報１３１Ａ２に関連付けられた推薦価格情報１３１Ａ４と検索価格情報２０２Ｄとを比較して、推薦商品の方が安いかどうかを決定する。
価格情報比較手段１３４は、推薦商品の方が安いと決定した場合、記憶手段１３１Ａから推薦価格情報１３１Ａ４を抽出する。
そして、表示制御手段１３５は、価格情報比較手段１３４により推薦商品の方が安いと決定された場合に、商品情報一覧テーブル記憶領域から推薦商店ページ情報１３１Ａ５を抽出する。そして、表示制御手段１３５は、抽出された推薦販売元情報１３１Ａ１、推薦商品名情報１３１Ａ２、推薦価格情報１３１Ａ４及び推薦商店ページ情報１３１Ａ５に基づいて、推薦ページ情報２０３を作成し、この推薦ページ情報２０３を利用者端末１２０に送信して、図２に示すように、ツールバー表示部２０１に推薦ページ情報２０３を表示させる。
【００１８】
［情報提供システムの動作］
図４は、本実施形態の情報表示システムの動作を示すフローチャートである。
以下、情報表示システムの動作を説明する。
【００１９】
提供者は、提供者端末１１０により予めサーバ１３０に対して推薦商品に関する推薦販売元情報１３１Ａ１と、推薦商品名情報１３１Ａ２と、推薦価格情報１３１Ａ４と、推薦商店ページ情報１３１Ａ５とを提供し、サーバ１３０は、提供されたこれらの情報を記憶手段１３１Ａに記憶する（Ｓ２１）。
サーバ１３０は、利用者端末１２０の要求に応じてツールバープログラムを提供し、利用者端末１２０では、ツールバープログラムを予め組み込んで、図２に示すように、ツールバー表示部２０１を表示する（Ｓ２２，Ｓ１１）。
そして、利用者が利用者端末表示手段１２１によりショッピングページ２０２を表示させる（Ｓ１２）。
特定情報取得手段１３２は、ツールバーにより検索商品が掲載されたショッピングページ２０２を解析して検索販売元情報２０２Ｂ、検索商品名情報２０２Ｃ及び検索価格情報２０２Ｄを取得する（Ｓ２３）。
【００２０】
比較抽出手段１３３は、特定情報取得手段１３２により取得した検索販売元情報２０２Ｂ及び検索商品名情報２０２Ｃと推薦販売元情報１３１Ａ１及び推薦商品名情報１３１Ａ２と比較する（Ｓ２４）。
そして、検索販売元情報２０２Ｂ及び検索商品名情報２０２Ｃと、推薦販売元情報１３１Ａ１及び推薦商品名情報１３１Ａ２とが一致したとき、記憶手段１３１Ａから推薦販売元情報１３１Ａ１及び推薦商品名情報１３１Ａ２を抽出する。そして、価格情報比較手段１３４は、検索価格情報２０２Ｄ及び推薦価格情報１３１Ａ４に基づいて、推薦商品が利用者の端末に表示された検索商品よりも安いかどうかを比較する（Ｓ２５）。
価格情報比較手段１３４が、推薦商品が検索商品よりも高い、または同じであると判断した場合（ＮＯ）、比較抽出手段１３３は、他の検索販売元情報及び検索商品名情報と他の推薦販売元情報及び推薦商品名情報とを比較する（Ｓ２４）。
一方、価格情報比較手段１３４が、推薦商品が検索商品よりも安いと決定した場合（ＹＥＳ）、記憶手段１３１Ａから推薦価格情報１３１Ａ４を抽出する。
そして、表示制御手段１３５は，価格情報比較手段１３４により推薦商品の方が安いと決定された場合に、商品情報一覧テーブル記憶領域から推薦商店ページ情報１３１Ａ５を抽出する。さらに、表示制御手段１３５は、抽出された推薦販売元情報１３１Ａ１、推薦商品名情報１３１Ａ２、推薦価格情報１３１Ａ４及び推薦商店ページ情報１３１Ａ５に基づいて推薦ページ情報２０３を作成し、この推薦ページ情報２０３を利用者端末１２０に送信する（Ｓ２６）。
ツールバー送受信手段１２４は、推薦ページ情報２０３を受信して、利用者端末表示手段１２１のツールバー表示部２０１に、推薦ページ情報２０３を表示する（Ｓ１３）。
【００２１】
〔実施形態の効果〕
上述した実施形態では、以下に示す作用効果を奏することができる。
【００２２】
サーバ１３０は、検索販売元情報２０２Ｂ及び検索商品名情報２０２Ｃを取得する特定情報取得手段１３２と、推薦販売元情報１３１Ａ１，推薦商品名情報１３１Ａ２及び推薦商店ページ情報１３１Ａ５を関連づけて記憶する記憶手段１３１Ａと、記憶手段１３１Ａに記憶された推薦販売元情報１３１Ａ１及び推薦商品名情報１３１Ａ２と特定情報取得手段１３２により取得された検索販売元情報２０２Ｂ、検索商品名情報２０２Ｃを比較し、これら検索販売元情報２０２Ｂ、検索商品名情報２０２Ｃに一致する推薦販売元情報１３１Ａ１及び推薦商品名情報１３１Ａ２を抽出する比較抽出手段１３３と、比較抽出手段１３３により抽出された推薦販売元情報１３１Ａ１、推薦商品名情報１３１Ａ２及び商店ページ情報１３１Ａ５に基づいて作成された推薦ページ情報２０３を利用者端末１２０に送信して、ツールバー表示部２０１に推薦ページ情報２０３を表示させる表示制御手段１３５と、を備えた。
そのため、例えば、○○のメガネがショッピングページ２０２に表示されたとき、この「○○のメガネ」と同じものが販売されている他のショッピングページに関する推薦ページ情報２０３も表示されるので、利用者は、ショッピングページ２０２からより多くの有益な情報を得ることができる。そして、利用者はより多くの有益な情報に基づいて推薦ページ情報２０３により、他のショッピングページを表示することができるため、情報提供者は他のショッピングページについて集客力を増加させることができる。
さらに、サーバ１３０の管理者にとっては、集客力を増加させることができるから、提供者からより多くの広告料を得ることができる。
【００２３】
また、特定情報取得手段１３２は、ツールバーにより検索販売元情報２０２Ｂ及び検索商品名情報２０２Ｃを取得する。
ツールバーを用いることで、いずれのショッピングページ２０２においても検索販売元情報２０２Ｂ及び検索商品名情報２０２Ｃを取得することができる。
【００２４】
さらに、サーバ１３０は、検索価格情報２０２Ｄと推薦価格情報１３１Ａ４とを比較する価格情報比較手段１３４を備え、表示制御手段１３５は、推薦商品が検索商品よりも安いと決定されたときに、推薦ページ情報２０３を表示させる。
そのため、推薦商品がより安い場合に推薦ページ情報２０３を表示するため、より安い商品を求めている利用者にとってより有益である。
【００２５】
＜実施形態の変形例＞
なお、本発明は、上述の実施形態に限られない。
図５は、類義語情報一覧テーブル記憶領域のデータ構造を示す図である。図６は、他の商品情報一覧テーブル記憶領域のデータ構造を示す図である。図７は、さらに他の商品情報一覧テーブル記憶領域のデータ構造を示す図である。
本発明では、ショッピングページ２０２に検索商品に関する検索カテゴリ情報が含まれている場合、特定情報取得手段１３２が検索カテゴリ情報を取得し、比較抽出手段１３３が検索カテゴリ情報と、記憶手段１３１Ａに記憶された推薦カテゴリ情報１３１Ａ３とを比較する構成としてもよい。
この場合、ショッピングページ２０２に掲載された検索商品と、推薦商品とをさらに容易に一致させることができる。
そして、記憶手段には、商品の製造年月日が記憶され、この製造年月日を比較する製造年月日比較手段を備える構成でもよい。
また、本実施形態では、ショッピングページ２０２に推薦ページ情報を表示する構成を示したが、これに限られず、本発明は旅行ページや、不動産ページや、ニュースページや、占いページ、転職ページなどを閲覧している利用者に対して、推薦ページ情報２０３を表示させることができる構成とする。
例えば、旅行ページに旅行プラン情報が表示されたとき、表示制御手段１３５は、同じ旅行プラン情報を有する他の旅行ページに関連付けられた推薦ページ情報２０３を表示させてもよい。
【００２６】
そして、記憶手段１３１Ａは、商品情報一覧テーブル記憶領域を有する構成を示したが、これに限られず、さらに、類義語情報一覧テーブル記憶領域を有する構成でもよい。
類義語情報一覧テーブル記憶領域は、例えば、図５に示すように、推薦商品名情報１３１Ａ２と、類義語商品名情報１３１Ａ６とを１つのデータ構造に関連付けて複数記憶するテーブル構造に構築されている。
そして、比較抽出手段１３３は、特定情報取得手段１３２により取得された検索商品名情報２０２Ｃと、記憶手段１３１Ａの推薦商品名情報１３１Ａ２とを比較して、一致しない場合に、検索商品名情報２０２Ｃと、類義語商品名情報１３１Ａ６とを比較する。そして、一致した場合に、類義語商品名情報１３１Ａ６に基づいて、推薦商店ページ情報１３１Ａ５を抽出して推薦ページ情報２０３を利用者端末１２０に送信する。
この場合、類義語情報一覧テーブル記憶領域を有するため、ショッピングページ２０２に表示された検索商品名情報２０２Ｃと、推薦商品名情報１３１Ａ２とが一致しない場合であっても、類義語商品名情報１３１Ａ６により、推薦ページ情報２０３を表示させることができる。
【００２７】
また、商品情報一覧テーブル記憶領域は、図６に示すように、品質情報１３１Ａ７を有し、表示制御手段１３５は、推薦ページ情報２０３に加えて品質情報１３１Ａ７を表示する構成でもよい。
さらに、商品情報一覧テーブル記憶領域は、図７に示すように、ポイント情報１３１Ａ８を有し、表示制御手段１３５は、推薦ページ情報２０３に加えてポイント情報１３１Ａ８を表示する構成でもよい。
この場合、例えば、利用者が利用者端末１２０にツールバーを取り込む際、サーバ１３０は利用者に関する利用者情報（性別など）を要求し、利用者ごとに利用者ＩＤを設定してもよい。
利用者が推薦ページ情報２０３を選択したとき、利用者ＩＤごとにポイント情報１３１Ａ８のポイント数が加算されるようにしてもよい。また、サーバ管理者は、利用者ＩＤを利用して、性別に利用者の趣向を知ることができるようにしてもよい。
【図面の簡単な説明】
【００２８】
【図１】本発明に係る一実施形態のシステム構成図。
【図２】本実施形態において、端末に表示された検索ページを示す図。
【図３】商品情報一覧テーブル記憶領域のデータ構造を示す図。
【図４】情報表示システムの処理フローチャートを示す図。
【図５】類義語情報一覧テーブル記憶領域のデータ構造を示す図。
【図６】他の商品情報一覧テーブル記憶領域のデータ構造を示す図。
【図７】さらに他の商品情報一覧テーブル記憶領域のデータ構造を示す図。
【符号の説明】
【００２９】
１００  情報表示システム
１１０  提供者端末
１１１  提供者端末表示手段
１１２  提供者端末入力手段
１１３  提供者端末送受信手段
１２０  利用者端末
１２１  利用者端末表示手段
１２２  利用者端末入力手段
１２３  ツールバー取込手段
１２４  ツールバー送受信手段
１３０  サーバ
１３１Ａ  記憶手段
１３１Ａ１  推薦販売元情報
１３１Ａ１１  推薦商品情報
１３１Ａ２  推薦商品名情報
１３１Ａ３  推薦カテゴリ情報
１３１Ａ４  推薦価格情報
１３１Ａ５  推薦商店ページ情報
１３１Ａ６  類義語商品名情報
１３１Ａ７  品質情報
１３１Ａ８  ポイント情報
１３１Ｂ  演算手段
１３２  特定情報取得手段
１３３  比較抽出手段
１３４  価格情報比較手段
１３５  表示制御手段
１４０  インターネット
２００  画面
２０１  ツールバー表示部
２０２  ショッピングページ
２０２Ａ  商品描画情報
２０２Ｂ  検索販売元情報
２０２Ｃ  検索商品名情報
２０２Ｄ  検索価格情報
２０３  推薦ページ情報
【図１】
2010146396.tif 000003
【図２】
2010146396.tif 000004
【図３】
2010146396.tif 000005
【図４】
2010146396.tif 000006
【図５】
2010146396.tif 000007
【図６】
2010146396.tif 000008
【図７】
2010146396.tif 000009